【事件の表示】
　特願２００５−１３５１４３「レジスタセンサ」拒絶査定不服審判事件〔平成１７年１１月１７日出願公開、特開２００５−３１９８０１〕について、次のとおり審決する。
【結　論】
　本件審判の請求は、成り立たない。
【理　由】
１　手続の経緯
　本願は、平成１７年５月６日（パリ条約による優先権主張２００４年５月３日、独国）の出願であって、平成２２年１１月２９日付けで手続補正がなされ、平成２３年９月３０日付けで拒絶査定がなされ、これに対し、平成２４年１月２５日付けで拒絶査定に対する審判請求がなされたものである。
　
２　本願発明
　本願請求項１ないし１０に係る発明は、平成２２年１１月２９日付け手続補正後の特許請求の範囲の請求項１ないし１０に記載された事項により特定されるとおりのものであり、その請求項１に係る発明（以下「本願発明」という。）は、以下のとおりである。
「被印刷体（７０５）の上にある、少なくとも２つの相上下して印刷された、印刷画像の色分解の間でレジスタ測定をするためのレジスタセンサ（１５）を備え、前記レジスタセンサ（１５）は、被印刷体（７０５）の上で相上下して位置する２つの色分解の間のずれを光学的に検出してコンピュータ（１０）に転送する、被印刷体処理機械（１）の装置において、
　前記レジスタセンサ（１５）が、測定面がまっすぐな分割線と斜めの分割線を有する四象限フォトダイオードであり、該四象限フォトダイオード（１５）の評価面が長方形であることを特徴とする、被印刷体処理機械の装置。」
　
３　引用刊行物
（１）原査定の拒絶の理由に引用され、本願の優先権主張日前に頒布された特開昭５８−１９０７０３号公報（以下「刊行物１」という。）には、以下の記載が図とともにある。（下線は審決で付した。以下同じ。）
　ア　「１．
印刷機上で多色間の見当を合わせるために、水平線とこれに対して所定角傾斜した傾斜線とからなる∠形の見当マークを読み取る印刷機の見当マーク検知用センサーにおいて、前記センサーの受光面を、その中心点で水平線と水平に対して傾斜した傾斜線とを交叉させるようにして４分割し、この４分割されたエリア
の少なくても一対のエリアを水平線と傾斜線との交叉点に対して点対称に配置し、各エリアの受光量の差から見当マークの直線の中央位置を判定する
　２．
前記４つのエリアの全てを受光面として使用し、前記見当マークの水平線を検知する際は水平線で等面積に分割される受光面のエリアを用い、前記見当マークの傾斜線を検知する際は傾斜線で等面積に分割されるエリアを用い、等面積に分割された各エリアの受光量の差から各見当マークの直線の中央位置を判定する
印刷機の見当マーク検知用センサー
　イ　「本発明は、多色オフセット印刷機における版胴の印刷版上から、あるいは
印刷後の印刷物上から見当合せ用の∠形のレジスターマーク
を読み取り、各色間の天地、左右　ひねり量の見当誤差を自動修正する
　一般に、直線状のマークを読み取る為のセンサーは第１図に示すように検知対象たるマークｍを照明するための光源１と照明した部分からの反射光量の変化を検知する受光素子２を有し、光源１により照明された場所にマークｍが進入したときに、そこからの反射光量の変化を受光素子２にて検知しマークｍの存在を知るようになつている。また、第２図に示すように、光源１からの光を集光するために光源前面にレンズ系３を設けたり、検知物像を受光素子受光面に結像するために受光素子前面にレンズ系４を設けたりしている。」（第２頁右上欄第１行〜第１８行）
　ウ　「ところが、
この種のセンサーはマークｍが受光面を分割する直線と平行の時に感度が一番良く
　本発明は、かかる欠点に鑑み、
１つの受光面を分割使用するだけで、∠形マークの水平線、傾斜線とも、精度良く検知し
　エ　「第５図および第６図において、４つの光フアイバー２０ａ，２０ｂ，２１ａ，２１ｂが
円形
水平線ｌ
ｈｏ
および傾斜線ｌ
ｓｏ
によつて４つのエリア２３ａ，２３ｂ，２４ａ，２４ｂに区分されている
　前記各光フアイバーには受光素子２６ａ，２６ｂ，２７ａ，２７ｂが接続され、これら受光素子は光電変換用ホトダイオードからなつている。そして、この受光面２２にはマークｍがレンズ系２５を介して結像されるようになつている（６（ｂ）図）。
　このセンサーの検知回路が第７図に示されており、検知回路Ｃ１は、前記各受光素子２６ａ，２６ｂ，２７ａ，２７ｂに対応した増幅器２８，２９，３０，３１をそれぞれ有し、増幅器２８は加算回路３２に直列に接続され、増幅器３１は第１アナログスイツチ３３を介して第１加算回路３２および第２加算回路３５に選択的に接続されている。前記増幅器３０は第２アナログスイツチ３４を介して第２加算回路３５および第１加算回略３２に選択的に接続され、この第２加算回路３５に受光素子２５ｂのための増幅器２９が直列に接続されている。
　前記第１、第２加算回路からの信号は差動出力を得るための差動回路３６に入力され、この差動出力はマークの線の中央位置を判定するための中央位置判定回路３７に入力されマーク中央判定信号として取出される。
　見当マークｍの水平あるいは傾斜線のいずれかの中央位置の判定が終了したときに、他の直線の中央位置判定に切換えるために、中央位置判定回路３７と前記両アナログスイツチ３３、３４とが連動するようになつている。
　先ず、見当マークｍの水平線ｌｈ1を検出する場合には、第７図に示す如く、受光面へのマークｍの進入の際エリア２４ａ，２３ｂの加算値とエリア２３ａ，２４ｂとの加算値との差が差動回路３６によつて算出され、中央位置判定回路３７は差動出力の信号の変化の山の直後の零ボルトを区切つた点を検知して線の中央を認識する。
　水平線ｌｈ1の中央検知の判定信号により両アナログスイツチ３３，３４の切換えが行なわれ、見当マークｍの傾斜線ｌｓ１を検知する状態に移行する。すなわち、この場合にはエリア２３ａ、２４ａの加算値とエリア２３ｂ、２４ｂとの加算値が差動回路３６に入力され水平線ｌｈ1の場合と同様にしてその中央位置が判定される。
　なお、
受光面形状は円形でなくとも良いが受光面を分割する分割線に対して対称
であることが必要である
　オ　「なお、以上の実施例においては、光フアイバーに結合する
光電変換素子としては、ホトダイオード
受光面として
光電変換素子の受光面を実施例で示したような形に製作
　カ　上記エ及びオの記載から、見当マーク検知用センサーは、光電変換素子であるホトダイオードの受光面からなり、前記受光面は、水平線ｌｈｏおよび傾斜線ｌｓｏによつて４つのエリア２３ａ，２３ｂ，２４ａ，２４ｂに区分され、前記受光面の形状は円形でなくとも良いが受光面を分割する分割線に対して対称であることが必要であることが把握できる。
　キ　上記記載及び図面を含む刊行物１全体の記載から、刊行物１には、以下の発明が記載されていると認められる。
「印刷機上で多色間の見当を合わせるために、水平線とこれに対して所定角傾斜した傾斜線とからなる∠形の見当マークを読み取る印刷機の見当マーク検知用センサーの受光面を、その中心点で水平線と水平に対して傾斜した傾斜線とを交叉させるようにして４分割し、この４分割されたエリアの少なくても一対のエリアを水平線と傾斜線との交叉点に対して点対称に配置し、前記４つのエリアの全てを受光面として使用し、前記見当マークの水平線を検知する際は水平線で等面積に分割される受光面のエリアを用い、前記見当マークの傾斜線を検知する際は傾斜線で等面積に分割されるエリアを用い、等面積に分割された各エリアの受光量の差から各見当マークの直線の中央位置を判定する印刷機の見当マーク検知用センサーを用い、印刷後の印刷物上から見当合せ用の∠形のレジスターマークを読み取り、各色間の天地、左右ひねり量の見当誤差を自動修正する印刷機の装置であって、
　前記見当マーク検知用センサーは、光電変換素子であるホトダイオードの受光面からなり、前記受光面は、水平線ｌｈｏおよび傾斜線ｌｓｏによつて４つのエリア２３ａ，２３ｂ，２４ａ，２４ｂに区分され、前記受光面の形状は円形でなくとも良いが受光面を分割する分割線に対して対象である
印刷機の装置。」（以下「引用発明」という。）
　
４　対比
（１）本願発明と引用発明とを比較すると、引用発明の「印刷物」、「各色間」、「見当マーク検知用センサ」、「印刷機」、「受光面」、「水平線ｌｈｏ」、「傾斜線ｌｓｏ」及び「『受光面』が『４つのエリア２３ａ，２３ｂ，２４ａ，２４ｂに区分され』た『ホトダイオード』」は、それぞれ本願発明の「被印刷体」、「印刷画像の色分解の間」、「レジスタセンサ」、「被印刷体処理機械」、「『測定面』及び『評価面』」、「まっすぐな分割線」、「斜めの分割線」及び「四象限フォトダイオード」に相当する。
（２）引用発明は「印刷機上で多色間の見当を合わせるために」、「見当マーク検知用センサーを用い、印刷後の印刷物上から見当合せ用の∠形のレジスターマークを読み取り、各色間の天地、左右ひねり量の見当誤差を自動修正する」ものであるから、被印刷体の上にある、少なくとも２つの相上下して印刷された、印刷画像の色分解の間でレジスタ測定をするためのレジスタセンサを備えているものといえる。
（３）引用発明は「見当マーク検知用センサーを用い、印刷後の印刷物上から見当合せ用の∠形のレジスターマークを読み取り、各色間の天地、左右ひねり量の見当誤差を自動修正する」ものであるから、見当マーク検知用センサー（レジスタセンサ）は、被印刷体の上で相上下して位置する２つの色分解の間のずれを光学的に検出するものといえ、「見当誤差を自動修正する」ために、検出信号を何らかの制御装置に送っていることは当業者に自明である。
　よって、引用発明と、本願発明の「レジスタセンサ（１５）は、被印刷体（７０５）の上で相上下して位置する２つの色分解の間のずれを光学的に検出してコンピュータ（１０）に転送する」とは、「レジスタセンサは、被印刷体の上で相上下して位置する２つの色分解の間のずれを光学的に検出して特定の装置に転送する」点で共通する。
（４）引用発明は「見当マーク検知用センサーは、光電変換素子であるホトダイオードの受光面からなり、前記受光面は、水平線ｌｈｏおよび傾斜線ｌｓｏによつて４つのエリア２３ａ，２３ｂ，２４ａ，２４ｂに区分され、前記受光面の形状は円形でなくとも良いが受光面を分割する分割線に対して対称である」ものであるから、本願発明の「レジスタセンサ（１５）が、測定面がまっすぐな分割線と斜めの分割線を有する四象限フォトダイオードであり、該四象限フォトダイオード（１５）の評価面が長方形である」とは、レジスタセンサが、測定面がまっすぐな分割線と斜めの分割線を有する四象限フォトダイオードであり、該四象限フォトダイオードの評価面が特定の形である点で共通する。
（５）（１）ないし（４）より、本願発明と引用発明とは、
「被印刷体の上にある、少なくとも２つの相上下して印刷された、印刷画像の色分解の間でレジスタ測定をするためのレジスタセンサを備え、前記レジスタセンサは、被印刷体の上で相上下して位置する２つの色分解の間のずれを光学的に検出して特定の装置に転送する、被印刷体処理機械の装置において、
　前記レジスタセンサが、測定面がまっすぐな分割線と斜めの分割線を有する四象限フォトダイオードであり、該四象限フォトダイオードの評価面が特定の形である、被印刷体処理機械の装置。」
の点で一致し、以下の点で相違している。
［相違点１］検出したずれを転送する特定の装置に関し、本願発明は「コンピュータ」と特定されているのに対し、引用発明は、何らかの制御装置に送っているといえるものの、コンピュータであるか否か明らかでない点。
［相違点２］四象限フォトダイオードの評価面の形状に関し、本願発明は「長方形」と特定されているのに対し、引用発明は、円形でなくとも良いが受光面を分割する分割線に対して対称である点。
　
５　判断
（１）上記相違点１について検討する。
　多色印刷機において、ずれ情報をコンピュータに転送することは、本願優先権主張日前周知の技術（例えば、特開平９−２２６０９７号公報、特開２００３−７２０３７号公報）であるから、引用発明において、検出したずれを転送する装置として、コンピュータを採用し、本願発明の上記相違点１に係る構成となすことは、当業者が容易になし得る程度のことである。
（２）上記相違点２について検討する。
　評価面、四象限フォトダイオードに関し、本願明細書には、以下の記載がある。
・【０００６】
　さらに、二象限フォトダイオードのほぼ長方形の評価面が、運ばれていく被印刷体の辺に対して斜めに向いていることが意図される。被印刷体の上のレジスタマークの辺は、多くの場合、被印刷体の辺と平行に延びるのではなく、斜めの楔として構成されているので、斜めに配置されたフォトダイオードによって、この斜めの楔の認識を改善することができる。それにより、被印刷体の辺に沿って平行に向いた２本の線は認識しにくくなるものの、斜めの辺の改善された認識によって、全体としてはいっそう均等な信号を得ることができる。そのようにして、レジスタマークの辺が斜めに向いている場合でも平行に向いている場合でも、信号がほぼ同じ結果になるようにフォトダイオードを向けることができる。
・【０００７】
　本発明の他の実施態様では、レジスタセンサが、測定面が少なくとも部分的に斜めの辺を有する四象限フォトダイオードであることが意図される。このような四象限フォトダイオードによって、平行または斜めに向いた二象限フォトダイオードとは異なり、斜めの辺でもまっすぐな辺でも最善に認識することが可能である。そのためにフォトダイオードは、あるところでは垂直、あるところでは斜めに分割された４つの測定フィールドを有している。このようにして、評価電子装置の相応の配線により、平行に向いたレジスタマークでも斜めに向いたレジスタマークでも、最善の認識を実現することができる。
・【００１８】
　図３に示す他の実施形態は、レジスタマークのまっすぐな辺を認識するときの利点と、斜めの辺を認識するときの利点を相互に結びつける。そのためにレジスタセンサ１５は、まっすぐな分割と斜めの分割を有する四象限フォトダイオードを有している。傾いたレジスタセンサ面１６により、斜めの辺を特別に良好に認識することが可能であり、まっすぐな分割により、まっすぐな辺を非常に良く認識することもできる。この場合、斜めの辺を認識するには、面１６．１および１６．３の信号がコンピュータ１０で加算され、ならびに、面１６．２および１６．４の信号が加算される。それに対して、まっすぐな辺を認識するには、信号１６．１と１６．２が加算され、ならびに信号１６．３と１６．４が加算される。そして、加算プロセスの結果として得られた両方の信号が減算される。したがって、コンピュータ１０は、レジスタセンサ１５の四象限フォトダイオードの４つのフィールドについて４つの入力部を有している。ただし、レジスタセンサ１５を評価するための電子装置は、コンピュータ１０の外部でセンサ１５または測定バー６に直接格納されていてもよく、その場合、電子装置はまっすぐな辺と斜めの辺についての２つの出力部を有しており、これらの出力部の信号がコンピュータ１０に転送される。
　
　上記段落【０００６】には、二象限フォトダイオードの評価面についての記載があるが、四象限フォトダイオードの評価面についての記載はないし、評価面の形状を長方形とすることについての技術的意義も記載されていない。
　上記段落【０００７】及び【００１８】には、四象限フォトダイオードのまっすぐな分割線と斜めの分割線についての技術的意義は記載されているが、評価面の形状については記載されていないし、その技術的意義も、記載されていない。
　よって、本願発明において、四象限フォトダイオードの評価面の形状を長方形とすることに技術的意義を認めることができない。
　また、原査定の拒絶の理由に引用された特開昭６４−３４７４１号公報、特開平４−２２９２６９号公報に記載のように、四象限の評価面の形状を方形にすることは、一般的な事項であるし、斜めの分割線を有するフォトダイオードの評価面の形状を長方形とすることも、本願優先権主張日前周知の事項（例えば、特開平１１−２１２００４号公報、特開２００３−６９００４号公報）である。
　よって、「受光面の形状は円形でなくとも良いが受光面を分割する分割線に対して対称である」ことを要する引用発明において、分割した際に対称な形状となり得るように、四象限フォトダイオードの評価面の形状を長方形とすることは、設計事項程度のことにすぎない。
（３）以上のとおりであるから、本願発明の上記相違点１及び２に係る構成は、刊行物１に記載された発明及び周知技術に基づいて当業者が容易に想到することができたものであり、それにより得られる効果も当業者が予測できる範囲のものである。
　
６　むすび
　以上のとおり、本願発明は、刊行物１に記載された発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。